(57)【要約】【課題】  封入物が変形することなく、貼着部分にしわ等が発生しない良好な封緘が可能となる筒封緘装置を提供する。【解決手段】  封入物が封入された状態の封筒の片面から固定する封筒固定手段と、フラップ部のみを押圧するフラップ押圧手段とからなる封筒封緘装置を提供する。特に、封筒固定手段の固定する片面が、フラップを有するフラップ面である、封筒固定手段がエアー吸着装置である、フラップ押圧手段がフラップ押圧ロールである、押圧ロールに押圧ロールフラップ折り方向に駆動する駆動装置が付属する、さらにフラップ折り手段を有するなどの手段が好ましい封筒封緘装置である。【選択図】  図３
2016203481.tif 000002
【特許請求の範囲】
【請求項１】
封入物が封入された状態の封筒の片面から固定する封筒固定手段と、フラップ部のみを押圧するフラップ押圧手段とからなる封筒封緘装置。
【請求項２】
封筒固定手段の固定する片面が、フラップを有するフラップ面であることを特徴とする請求項１記載の封筒封緘装置。
【請求項３】
封筒固定手段がエアー吸着装置であることを特徴とする請求項１または２記載の封筒封緘装置。
【請求項４】
フラップ押圧手段がフラップ押圧ロールであることを特徴とする請求項１から３何れか記載の封筒封緘装置。
【請求項５】
押圧ロールに、押圧ロールフラップ折り方向に駆動する駆動装置が付属することを特徴とする請求項４記載の封筒封緘装置。
【請求項６】
さらにフラップ折り手段を有することを特徴とする請求項１から５何れか記載の封筒封緘装置。
【請求項７】
フラップ折り手段がフラップ折り部支持手段と、フラップ起立手段とからなることを特徴とする請求項６記載の封筒封緘装置。
【請求項８】
さらにフラップ折り部支持手段へ封筒を供給する封筒供給装置を有することを特徴とする請求項１から７何れか記載の封筒封緘装置。
【請求項９】
さらに封入物封入手段を有することを特徴とする請求項８記載の封筒封緘装置。
【請求項１０】
さらにフラップ接着手段供給手段を有することを特徴とする請求項１から９何れか記載の封筒封緘装置。
【発明の詳細な説明】
【技術分野】
【０００１】
本発明は、封筒への封入封緘工程において、封入物が封入された状態の封筒を封緘するため、フラップ面に形成してあるフラップをフラップ折り部から封緘面側に折返して封緘面に接着することにより封緘する封筒封緘装置に関する。
【背景技術】
【０００２】
封筒を封緘装置へ搬送する搬送方法としては、移送コンベアを封筒の上下に設置し挟み込むようにして搬送する方法が提案されている。
【０００３】
この場合の封筒のフラップ部を自動的に折り畳み貼着して封緘する封緘方法としては、封筒を搬送させながら定規と折返し案内体との間に送り込むことにより、フラップ部折り目を自動的に折り返す方法が提案されている。その際にも封筒は移送コンベアにて上下を挟み込みながら封緘を行っている（特許文献１参照）。
【先行技術文献】
【特許文献】
【０００４】
【特許文献１】特開平６−２９７８９７号公報
【発明の概要】
【発明が解決しようとする課題】
【０００５】
しかしながら、封入物が紙箱のような厚みがあり外力によって形状が変形してしまうものであると、移送コンベアにて上下を挟み込みながら搬送若しくは封緘した場合挟み込みにより封入物が変形してしまう。
【０００６】
また、封入物に厚みが有る為、封筒全体が膨らんだ状態となりフラップ部が折り畳まれ貼着する部分についても膨らんだ状態となる。この状態で封筒を搬送させながら折り返す為、貼着部分が膨らんだ状態の部分にしごかれるように貼着していき、貼着部分にしわ等が発生してしまう。
【課題を解決するための手段】
【０００７】
本発明は前記課題を解決したものであり、すなわちその請求項１記載の発明は、封入物が封入された状態の封筒の片面から固定する封筒固定手段と、フラップ部のみを押圧するフラップ押圧手段とからなる封筒封緘装置である。
【０００８】
また、請求項２記載の発明は、封筒固定手段の固定する片面が、フラップを有するフラップ面であることを特徴とする請求項１記載の封筒封緘装置である。
【０００９】
また、請求項３記載の発明は、封筒固定手段がエアー吸着装置であることを特徴とする請求項１または２記載の封筒封緘装置である。
【００１０】
また、請求項４記載の発明は、フラップ押圧手段がフラップ押圧ロールであることを特徴とする請求項１から３何れか記載の封筒封緘装置である。
【００１１】
また、請求項５記載の発明は、押圧ロールに、押圧ロールフラップ折り方向に駆動する駆動装置が付属することを特徴とする請求項４記載の封筒封緘装置である。
【００１２】
また、請求項６記載の発明は、さらにフラップ折り手段を有することを特徴とする請求
項１から５何れか記載の封筒封緘装置である。
【００１３】
また、請求項７記載の発明は、フラップ折り手段がフラップ折り部支持手段と、フラップ起立手段とからなることを特徴とする請求項６記載の封筒封緘装置である。
【００１４】
また、請求項８記載の発明は、さらにフラップ折り部支持手段へ封筒を供給する封筒供給装置を有することを特徴とする請求項１から７何れか記載の封筒封緘装置である。
【００１５】
また、請求項９記載の発明は、さらに封入物封入手段を有することを特徴とする請求項８記載の封筒封緘装置である。
【００１６】
また、請求項１０記載の発明は、さらにフラップ接着手段供給手段を有することを特徴とする請求項１から９何れか記載の封筒封緘装置である。
【発明の効果】
【００１７】
本考案では、上記構成とすることで、封入物が変形することなく、貼着部分にしわ等が発生しない良好な封緘が可能となる。
【図面の簡単な説明】
【００１８】
【図１】封筒の封緘前の状態の一実施例を示す、封緘面を正面から見た場合の裏面図である。
【図２】本発明の封筒封緘装置の実施形態を示す概略正面図である。
【図３】図２の実施形態を示す概略平面図である。
【図４】図２の実施形態のフラップ折り手段を示す図であり、（Ａ）は概略正面断面図、（Ｂ）は概略側面断面図を示す。
【図５】図２の実施形態のフラップ押圧手段を示す概略側面断面図である。
【発明を実施するための形態】
【００１９】
以下、本発明を実施するための一実施形態を図面を用いて説明する。
【００２０】
図１は本発明により封緘される封筒１を示しており、封筒本体１１に封入物２が封入されている。その後フラップ１２がフラップ折り部１３を起点にして折り畳まれ、封筒本体１１の裏面である封緘面の貼着部分１４に貼着する。
【００２１】
封筒１の材質や形状は、特に限定されるものではないが、フラップ１２は封緘面貼着出来る状態になっている必要が有る。つまり、例えば本封筒封緘装置投入以前にのり付けされている若しくは剥離テープが剥がれた状態の両面テープが貼られているなど粘着物がフラップ部１２についている、もしくは本装置の途中にフラップ接着手段供給手段、例えばのり塗布装置、テープ貼り装置などの接着手段が設けられる必要が有る。
【００２２】
図２と図３は各々封筒封緘装置の正面図、平面図を示している。例えば、フラップ１２が貼着出来る状態になった封筒１は移送コンベア３１によって移送される。この際、封筒１はフラップ１２を有するフラップ面である表面が移送コンベア３１と接触して移送されていき、フラップ面とは反対側の封緘面である裏面については何も接触しない状態となる。その後、封筒１は移送コンベア３１から押圧ユニットコンベア３２に引き渡される。移送コンベア３１と押圧ユニットコンベア３２は同期して運転している。
【００２３】
押圧ユニットコンベア３２に引き渡された封筒１は、封筒停止ストッパ４にぶつかり停止する。合わせて押圧ユニットコンベア３２も停止する。
【００２４】
封筒停止ストッパ４によって停止した封筒１は、エアー吸着パット５によって保持される。なおエアー吸着パット５は一例として４つとしているが、封筒の形状によって増減するため限定しない。
【００２５】
以下、図４を用いて説明する。この場合のフラップ折り手段であるフラップ折りユニット６は、フラップ折り部支持手段であるフラップ折り部１３を保持する板バネ６１と板バネ６１を移動させるフラップ押さえシリンダ６２、フラップを折る為のフラップ起立手段であるフラップ折りシリンダ６３からなる。エアー吸着パット５によって封筒１が保持されると、フラップ押し手段であるフラップ押さえシリンダ６２が下降し、板バネ６１によってフラップ折り部１３を全面押さえつける。その後、フラップ折りシリンダ６３が上昇しフラップ１２をフラップ折り部１３を起点にして折る。これによりフラップ１２は押圧ユニットコンベア３２に対して最大９０度の角度まで折られる。その後、フラップ折りシリンダ６３は下降、フラップ押さえシリンダ６２は上昇し元の位置に戻る。
【００２６】
図５はフラップ押圧手段である押圧ユニット７を示している。フラップ１２を押し付ける押圧ロール７１と押圧ロール７１を移動させる押圧シリンダ７２からなる。フラップ折りシリンダ６３、フラップ押さえシリンダ６２が元の位置に戻った後、押圧シリンダ７２が駆動し、押圧ロール７１によってフラップ部１２を折り畳んでいき、貼着部分１４に貼着させる。この時押圧ロール７１はフラップ部１２全面に対して押し付ける幅となっている。また、押圧シリンダ７２はフラップ部１２の長さ分だけ駆動させる。フラップ部１２が貼着部分１４に貼着後、押圧シリンダは元の位置に戻り、封筒停止ストッパ４が下降、エアー吸着パット５が停止、押圧ユニットコンベア３２が駆動し排出されていく。
【００２７】
上記構成とすることで、本発明による封筒封緘装置によって封入物が変形することなく、貼着部分にしわ等が発生しない良好な封緘が可能となり、品質向上に有効となる。
【００２８】
例えば、封入物としては紙片、冊子、カードなどのほか、各種の物品が可能であり、その厚み等は問わず、形状も長方形の他円形など各種形状のものが用いられる。とくに好ましいのは、封緘時点においてフラップ押圧手段により押圧されない場所に封入されるのが好ましい。そのため、封入において奥まで封入される封入装置を用いるか、送風や振動などの手段により奥まで封入される様にしておくのが好ましい。
【００２９】
封筒固定手段は、封筒のフラップ面を固定するのが好ましいが、フラップを上から下に折る必要性がある等の場合があり、必ずしも必然ではない。封筒固定手段は、一般的にはエアー吸着手段を用いるが、軽貼着手段等他の手段を用いても良い。
【００３０】
エアー吸着手段を用いる場合、スポット的に吸着するのが一般的であるが、ライン状、もしくはエリア状に吸着するものでもかまわない。この場合、吸着手段は６個などの固定個数で固定位置に設けてもよいが、封筒の形状材質等にかんがみ数や位置を可変にするものでもかまわない。
【００３１】
フラップの形状は日本の場合は台形形状が多く用いられるが、エアメールの様な三角形状やその他の形状でもかまわない。
【００３２】
フラップ押圧手段は、ロールによりフラップ全体を押圧するのが構成的に容易であるが、フラップ起立手段と一体化して、フラップ折り部支持手段を中心に回転して加圧する形式でも構わない。
【００３３】
フラップ押圧ロールは、フラップの先端付近まで押圧できるのが好ましいが、接着等の手段が先端の手前までしか施されていない場合、接着手段を有する部分まで押圧できれば
十分である。
【００３４】
そのための駆動装置は、ピストンで折り方向に押し出すものであるが、クランクなどの各種方法を用いることができる。
【００３５】
もちろん、多めに押圧しても構わないが、封入物の存在する領域までは行かない様にするのが好ましい。この場合、センサー等により封入物の位置を特定するなどの手段を用いても構わない。
【００３６】
本実施の形態では幅方向に均一なロールを用いているが、フラップの形状に合わせて複数のロールを用いたり、斜行ロールを用いたり、変形ロールを用いても良い。
【００３７】
フラップ折り手段は、本装置に封筒供給前に予めフラップがフラップ面より封緘面に仮処理として折られている場合や、仮処理されなくとも直角に起立されている場合は、最後の封緘を施すだけなので省略してもよい。
【００３８】
フラップ折り支持手段は、フラップ起立手段により封筒本体が浮かないための押さえ手段であり、バネ等で固定しているが、当て部材などで固定しても、フラップ折り部で折返すことができれば、完全な折り目とならなくとも構わない。
【００３９】
フラップ起立手段も、垂直方向から加圧するのが一般的であるが、上述の様にフラップ押圧手段と一体としてフラップ折り部を回転軸として回転するものでもよいが、フラップ押圧手段と一体としていなくともフラップ折り部を回転軸として回転する構造や、特許文献１の様にガイド形式になっていて立ち上がる構造や、他の起立手段を用いるものでもよい。
【００４０】
また、封筒供給装置は、手差しなどの場合は不要であるが、多数の処理の場合は多く用いられる。実施形態のように側方から供給するのが一般的だが、形状や供給手段の関係上上部や送り方向から供給するものでも構わず、ローラやコンベア、アーム供給など各種の供給手段が用いられる。
【００４１】
この場合、封筒供給装置だけでなく、封入物封入手段を加えても良い。この場合、封入物の位置として確実に封筒の奥に入れるような手段を用いるのが好ましい。例えば、起立させて落下させるとか、押圧手段により奥まで押し込むとか、エアにより奥まで入れる等の手段がとりうる。
【００４２】
さらに、フラップ接着手段供給手段は、上述の様にのり付与やテープ付与などのほか、予め乾式のりがフラップに付与されている封筒の場合、水分付与などでも構わない。また、供給手段も印刷や塗布の他、インクジェット、噴霧などの手段でも構わない。
【符号の説明】
【００４３】
１・・・  封筒
２  ・・・  封入物
３  ・・・  コンベア
４  ・・・  封筒停止ストッパ
５  ・・・  エアー吸着パット
６  ・・・  フラップ折りユニット
６１  ・・・  板バネ
６２  ・・・  フラップ押さえシリンダ
６３  ・・・  フラップ折りシリンダ
７  ・・・  押圧ユニット
７１  ・・・  押圧ロール
７２  ・・・  押圧シリンダ
【図１】
2016203481.tif 000003
【図２】
2016203481.tif 000004
【図３】
2016203481.tif 000005
【図４】
2016203481.tif 000006
【図５】
2016203481.tif 000007